(57)【要約】【課題】各種電子機器に用いられる開閉装置に関し、開閉操作の軽操作力化が図れ、軽快な操作感触が得られるものを提供することを目的とする。【解決手段】可動ケース２８側面と固定軸２７、または可動ケース２８側面と固定体２１の当接部に、略リング状で複数の摺動部材２９と３０を回転可能に重ねて設けることによって、可動ケース２８の開閉操作を行う際、摺動部材２９と３０によって可動ケース２８と固定軸２７、または固定体２１との間の摩擦が低減されるため、開閉操作の軽操作力化が図れ、軽快な操作感触の開閉装置を得ることができる。【選択図】  図１
2004332861.tif 000002
【特許請求の範囲】
【請求項１】
側面に固定カムが設けられた固定体と、この固定体に対し回転可能に配置されると共に、上記固定カムとの対向面に可動カムが設けられた可動体と、この可動カムと上記固定カムを弾接させるばねと、上記固定体を回転可能に、上記可動体を軸線方向へ移動可能に収納した略円筒状の可動ケースと、一端に上記固定体が固着され、他端が上記可動ケース側面に回転可能に装着された固定軸からなり、上記可動ケース側面と上記固定軸、または上記可動ケース側面と上記固定体の当接部に、略リング状で複数の摺動部材を回転可能に重ねて設けた開閉装置。
【請求項２】
摺動部材を金属板で形成した請求項１記載の開閉装置。
【請求項３】
複数の摺動部材の外径を異なるものとした請求項１記載の開閉装置。
【請求項４】
複数の摺動部材を可動ケースと固定軸、または可動ケースと固定体に各々固着した請求項１記載の開閉装置。
【請求項５】
摺動部材を潤滑部材で形成した請求項１記載の開閉装置。
【発明の詳細な説明】
【０００１】
【発明の属する技術分野】
本発明は、携帯電話やパーソナルコンピュータ等の、各種電子機器に使用される開閉装置に関するものである。
【０００２】
【従来の技術】
近年、携帯電話やパーソナルコンピュータ等の電子機器の小型化や軽量化が進む中、固定筐体に対し可動筐体が開閉可能に装着された、所謂、折畳み式のものが増えており、これらに用いられる開閉装置においても、軽快で開閉操作の行い易いものが求められている。
【０００３】
このような従来の開閉装置について、図４〜図６を用いて説明する。
【０００４】
なお、これらの図面の内、断面図は固定カムと可動カムの関係を判り易くするため、径方向を拡大して表わしている。
【０００５】
図５は従来の開閉装置の断面図、図６は同分解斜視図であり、同図において、１は左側面に固定部１Ａが形成された略円筒状の固定体で、この右側面外周には突出部２Ａ、及びこの突出部２Ａから左右へ延出する二つの傾斜部２Ｂ，２Ｃから形成された固定カム２が設けられている。
【０００６】
そして、３は同じく略円筒状の可動体で、固定体１に対し開閉方向へ回転可能に配置されると共に、固定カム２との対向面である左側面外周には可動カム４が設けられ、この可動カム４の先端が、略円盤状のカバー５との間にやや撓んだ状態で装着されたコイル状のばね６に付勢されて、固定カム２の傾斜部２Ｂへ弾接している。
【０００７】
また、７は略円柱状の固定軸で、この固定軸７の左端部に固定体１が固着されると共に、右端部は可動体３の中空部やばね６を挿通して、カバー５へ係止されている。
【０００８】
さらに、８は略円筒状の可動ケースで、この可動ケース８左端の通孔８Ａから固定体１の固定部１Ａが回転可能に突出すると共に、外周の溝部８Ｂには可動体３の突起３Ａが挿入され、可動体３が軸線方向へ移動可能に可動ケース８内に収納されている。
【０００９】
そして、可動ケース８右端の開口部をカバー５が覆い、固定体１や可動体３、ばね６等が可動ケース８内に収納されて、開閉装置１０が構成されている。
【００１０】
また、このように構成された開閉装置１０は、例えば、図４の携帯電話の斜視図に示すように、固定体１の固定部１Ａが上面に複数のキーからなる操作部１２Ａやマイクロフォン等の音声入力部１２Ｂが形成された固定筐体１２へ、可動ケース８が、表面にＬＣＤ等の表示部１３Ａやスピーカ等の音声出力部１３Ｂが形成された可動筐体１３へ各々固着され、開閉装置１０によって固定筐体１２に対して可動筐体１３が開閉可能に軸支されて電子機器が構成される。
【００１１】
以上の構成において、図５に示すように、可動カム４の先端が固定カム２下側の傾斜部２Ｂへ弾接した状態では、可動体３がばね６によって下方向の閉方向へ付勢されているため、可動ケース８が固着された可動筐体１３は、固定筐体１２に対して閉じた状態で保持されている。
【００１２】
そして、この閉状態から、可動筐体１３を手で開くと、可動筐体１３に固着された可動ケース８を介して可動体３が上方向へ回転し、可動カム４先端が固定カム２の突出部２Ａを超えて上側の傾斜部２Ｃへ弾接して、可動体３が上方向の開方向へ付勢されるため、可動筐体１３が開いた状態となる。
【００１３】
つまり、可動筐体１３に固着された可動ケース８を回転させることによって、可動カム４先端を固定カム２の傾斜部２Ｂまたは２Ｃのいずれかへ弾接させて、固定筐体１２に対する可動筐体１３の開閉操作が行われるように構成されているものであった。
【００１４】
なお、この出願の発明に関連する先行技術文献情報としては、例えば、特許文献１が知られている。
【００１５】
【特許文献１】
特開２００２−８９５４２号公報
【００１６】
【発明が解決しようとする課題】
しかしながら、上記従来の開閉装置においては、可動ケース８を回転して可動筐体１３の開閉操作を行う際、可動体３とカバー５との間に撓んだ状態で装着されたばね６によって、固定体１左側面が可動ケース８左側面へ、カバー５が可動ケース８右側面へ各々押付けられているため、これらの当接部の摩擦によって可動筐体１３の開閉に引掛り感が生じ、操作感触が損なわれ易いという課題があった。
【００１７】
本発明は、このような従来の課題を解決するものであり、開閉操作の軽操作力化が図れ、軽快な操作感触が得られる開閉装置を提供することを目的とする。
【００１８】
【課題を解決するための手段】
上記目的を達成するために本発明は、以下の構成を有するものである。
【００１９】
本発明の請求項１に記載の発明は、可動ケース側面と固定軸、または可動ケース側面と固定体の当接部に、略リング状で複数の摺動部材を回転可能に重ねて設けて開閉装置を構成したものであり、可動ケースの開閉操作を行う際、複数の摺動部材同士が摺動して回転が行われ、可動ケースと固定軸、または固定体との間の摩擦が低減されるため、開閉操作の軽操作力化が図れ、軽快な操作感触の開閉装置を得ることができるという作用を有する。
【００２０】
請求項２に記載の発明は、請求項１記載の発明において、摺動部材を金属板で形成したものであり、摺動部材を鋼等の金属板で形成することによって、摺動部材の加工や調達が容易となるため、開閉装置を安価に形成することができるという作用を有する。
【００２１】
請求項３に記載の発明は、請求項１記載の発明において、複数の摺動部材の外径を異ならせたものであり、複数の摺動部材間の当接面積を小さくすることで摩擦を小さくし、さらに軽操作力化を図ることができるという作用を有する。
【００２２】
請求項４に記載の発明は、請求項１記載の発明において、複数の摺動部材を可動ケースと固定軸、または可動ケースと固定体に各々固着したものであり、組立て時の摺動部材の外れや脱落を防止し、開閉装置を容易に製作することができるという作用を有する。
【００２３】
請求項５に記載の発明は、請求項１記載の発明において、摺動部材を潤滑部材で形成したものであり、摺動部材に潤滑メッキを施したり、或いは高密度樹脂等を用いることによって、さらに軽操作力化を図ることができるという作用を有する。
【００２４】
【発明の実施の形態】
以下、本発明の実施の形態について、図１〜図４を用いて説明する。
【００２５】
なお、これらの図面の内、断面図は固定カムと可動カムの関係を判り易くするため、径方向を拡大して表わしている。
【００２６】
（実施の形態）
図１は本発明の一実施の形態による開閉装置の断面図、図２は同分解斜視図であり、同図において、２１は左側面に固定部２１Ａが形成された略円筒状で金属製の固定体で、この右側面外周には突出部２２Ａ、及びこの突出部２２Ａから左右へ延出する二つの傾斜部２２Ｂ，２２Ｃから形成された固定カム２２が設けられている。
【００２７】
そして、２３は略円筒状で金属製の可動体、２７は略円柱状の固定軸で、この固定軸２７の左端部に固定体２１が固着されると共に、この固定体２１に対し可動体２３が開閉方向へ回転可能に配置され、固定カム２２との対向面である可動体２３左側面外周には可動カム２４が設けられている。
【００２８】
また、２８は略円筒状で金属または絶縁樹脂製の可動ケースで、この可動ケース２８左側面の開口孔２８Ａから固定体２１の固定部２１Ａが回転可能に突出すると共に、可動ケース２８右内側面と可動カム２４右側面との間にはやや撓んだ状態でコイル状のばね２６が装着され、このばね２６に付勢されて、可動カム２４の先端が固定カム２２の傾斜部２２Ｂへ弾接している。
【００２９】
さらに、可動ケース２８右外側面には略リング状の摺動部材２９が固着されると共に、固定軸２７の右端部が可動体２３の中空部やばね２６を挿通して、可動ケース２８右外側面の貫通孔２８Ｂから回転可能に突出し、この先端部には摺動部材２９より外径の小さな略リング状の摺動部材３０が、カシメ等によって固着されている。
【００３０】
そして、この複数の摺動部材２９と３０は略リング状の鋼や銅合金等の金属板、或いは、これらにフッ素含有の無電解ニッケルメッキ等の潤滑メッキを施して形成されると共に、摺動部材２９右側面と摺動部材３０左側面が、ばね２６によって回転可能に重ねられて弾接している。
【００３１】
また、可動ケース２８外周の溝部２８Ｃには可動体２３の突起２３Ａが挿入されて、可動体２３が軸線方向へ移動可能に可動ケース２８内に収納されると共に、固定体２１や可動体２３、ばね２６等が可動ケース２８内に収納されて、開閉装置３１が構成されている。
【００３２】
そして、このように構成された開閉装置３１は、例えば、図４の携帯電話の斜視図に示すように、固定体２１の固定部２１Ａが上面に複数のキーからなる操作部１２Ａやマイクロフォン等の音声入力部１２Ｂが形成された固定筐体１２へ、可動ケース２８が、表面にＬＣＤ等の表示部１３Ａやスピーカ等の音声出力部１３Ｂが形成された可動筐体１３へ各々固着され、開閉装置３１によって固定筐体１２に対して可動筐体１３が開閉可能に軸支されて電子機器が構成される。
【００３３】
以上の構成において、図１に示すように、可動カム２４の先端が固定カム２２下側の傾斜部２２Ｂへ弾接した状態では、可動体２３がばね２６によって下方向の閉方向へ付勢されているため、可動ケース２８が固着された可動筐体１３は、固定筐体１２に対して閉じた状態で保持されている。
【００３４】
また、この閉状態から、可動筐体１３を手で開くと、可動筐体１３に固着された可動ケース２８を介して可動体２３が上方向へ回転し、可動カム２４先端が固定カム２２の突出部２２Ａを超えて上側の傾斜部２２Ｃへ弾接して、可動体２３が上方向の開方向へ付勢されるため、可動筐体１３が開いた状態となる。
【００３５】
そして、この時、固定部２１Ａが固定筐体１２に固着された固定体２１、及びこれを左端部に固着した固定軸２７は回転しないため、固定軸２７右端部に固着された摺動部材３０に対して、可動ケース２８右外側面に固着された摺動部材２９が回転し、摺動部材２９右側面と摺動部材３０左側面との間には摩擦が生じるが、この摺動部材２９と３０は金属板、或いは、これに潤滑メッキを施して形成され、摩擦抵抗の小さなものとなっているため、可動ケース２８には引掛り感等が発生せず、軽快に開閉操作が行われる。
【００３６】
つまり、可動筐体１３に固着された可動ケース２８を回転させることによって、可動カム２４先端を固定カム２２の傾斜部２２Ｂまたは２２Ｃのいずれかへ弾接させて、可動筐体１３の開閉を行うと共に、可動ケース２８に固着された摺動部材２９と固定軸２７に固着された摺動部材３０によって、可動ケース２８と固定軸２７間の摩擦を低減し、軽快な開閉操作が行われるように構成されている。
【００３７】
このように本実施の形態によれば、可動ケース２８側面と固定軸２７の当接部に、略リング状で複数の摺動部材２９と３０を回転可能に重ねて設けることによって、可動ケース２８の開閉操作を行う際、複数の摺動部材２９と３０が摺動して回転が行われ、可動ケース２８と固定軸２７との間の摩擦が低減されるため、開閉操作の軽操作力化が図れ、軽快な操作感触の開閉装置を得ることができるものである。
【００３８】
そして、摺動部材２０を鋼や銅合金等の金属板、或いは、これらにフッ素含有の無電解ニッケルメッキ等の潤滑メッキを施して潤滑部材として形成することによって、プレス加工等で容易に摺動部材２９や３０を加工できると共に、形状を中央に貫通孔を設けた略リング状とすることで、市販されているワッシャー等の汎用な部品の使用が可能となるため、部品調達も容易となり、開閉装置を安価に形成することができる。
【００３９】
なお、摺動部材２９や３０を潤滑部材で形成する場合、上記した金属板に潤滑メッキを施したものの他、成形等の加工は必要となるが、ナイロン等の高密度樹脂を用いたり、或いは、固体潤滑剤を分散した樹脂に紫外線等を照射して、表面の分子間を共有結合させ架橋させたものを用いても、さらに軽操作力化を図ることが可能である。
【００４０】
さらに、複数の摺動部材２９と３０の外径を異なるものとすることによって、これら摺動部材２９と３０間の当接面積を小さくすることで摩擦を小さくし、より軽快に開閉操作を行うことができる。
【００４１】
そして、複数の摺動部材２９と３０を可動ケース２８と固定軸２７に各々固着することによって、組立て時の摺動部材の外れや脱落を防止し、開閉装置を容易に製作することができる。
【００４２】
また、以上の説明では、可動ケース２８左側面を開口孔２８Ａとし、右側面の貫通孔２８Ｂから固定軸２７の右端部を突出させると共に、この可動ケース２８側面と固定軸２７の当接部に、摺動部材２９と３０を回転可能に重ねて設けた構成として説明したが、図３の断面図に示すように、可動ケース２８右側面を開口孔２８Ｄとし、左側面の貫通孔２８Ｅから固定体２１の固定部２１Ａを突出させると共に、開口孔２８Ｄをカバー３２等で覆う場合には、可動ケース２８左内側面と固定体２１左側面の当接部に、摺動部材２９Ａと３０Ａを設ける構成としても、本発明の実施は可能である。
【００４３】
さらに、以上の説明では、手で可動筐体１３を開閉操作し、これに固着された可動ケース２８を回転させる構成についてのみ説明したが、押釦や、可動カム２４の固定カム２２への弾接位置を反転させる反転カム等の部品を設け、手による開閉操作に加え、閉状態から押釦の押圧操作によって可動筐体１３を開く、所謂、ワンプッシュオープンとした構成においても、本発明の実施は可能である。
【００４４】
【発明の効果】
以上のように本発明によれば、開閉操作の軽操作力化が図れ、軽快な操作感触の開閉装置を実現することができるという有利な効果が得られる。
【図面の簡単な説明】
【図１】本発明の一実施の形態による開閉装置の断面図
【図２】同分解斜視図
【図３】同他の実施の形態による断面図
【図４】同電子機器の斜視図
【図５】従来の開閉装置の断面図
【図６】同分解斜視図
【符号の説明】
１２  固定筐体
１２Ａ  操作部
１２Ｂ  音声入力部
１３  可動筐体
１３Ａ  表示部
１３Ｂ  音声出力部
２１  固定体
２１Ａ  固定部
２２  固定カム
２２Ａ  突出部
２２Ｂ，２２Ｃ  傾斜部
２３  可動体
２３Ａ  突起
２４  可動カム
２６  ばね
２７  固定軸
２８  可動ケース
２８Ａ，２８Ｄ  開口孔
２８Ｂ，２８Ｅ  貫通孔
２８Ｃ  溝部
２９，２９Ａ，３０，３０Ａ  摺動部材
３１  開閉装置
３２  カバー
【図１】
2004332861.tif 000003
【図２】
2004332861.tif 000004
【図３】
2004332861.tif 000005
【図４】
2004332861.tif 000006
【図５】
2004332861.tif 000007
【図６】
2004332861.tif 000008